(57)【要約】 【課題】  設備費が少なくて栽培物の受光量の調整が可能な苺栽培用スタンドを提供する。【解決手段】  苺栽培に適した前後幅と長尺の左右幅の栽培棚（枠棚２）を上下適宜間隔で多段に設け、各栽培棚部の上方に照明体（チップＬＥＤ３４１を縦列した長尺照明体３４）を装備した照明体支持部３，３Ａを、上下動可能に配置すると共に、所望位置で固定可能に設け、幼苗時には光源位置を下げて幼苗に対して効率的な人工光照射をなし、生育後には光源位置を上げて、葉全体に人工光を照射する。【選択図】図２
2015057965.tif 000002
【特許請求の範囲】
【請求項１】
苺栽培に適した前後幅と長尺の左右幅の栽培棚部を上下適宜間隔で多段に設け、各栽培棚部の上方に照明体を装備した照明体支持部を上下動可能に配置すると共に、所望位置で固定可能に設けてなることを特徴とする苺栽培用スタンド。
【請求項２】
栽培棚を、四隅に設けた脚柱間を連結する枠棚で形成してなると共に、栽培床を前記枠棚に載置されるプランターとしてなる請求項１記載の苺栽培用スタンド。
【請求項３】
照明体支持部を可動側柱で連結し、一連に上下動作させてなる請求項１又は２記載の何れかの苺栽培用スタンド。
【請求項４】
脚柱、栽培棚、照明体支持部をアングル材で形成してなる請求項２又は３記載の何れかの苺栽培用スタンド。
【請求項５】
照明体にＬＥＤ照明を採用してなる請求項１乃至４記載の何れかの苺栽培用スタンド。
【請求項６】
チップＬＥＤを長手方向に縦列した長尺照明体を、照明体支持部に前後に複数本縦列装着すると共に、前後端に配置される長尺照明体を中央側に適宜傾斜させて装着してなる請求項５記載の苺栽培用スタンド。
【請求項７】
栽培棚部、照明支持体、脚柱等の外周面を金属色等の反射面としてなる請求項５又は６記載の苺栽培用スタンド。
【請求項８】
最上段以外の照明体支持部自体又は照明体支持体上部に、滴受け容器部を設けてなる請求項１乃至７記載の何れかの苺栽培用スタンド。
【発明の詳細な説明】
【技術分野】
【０００１】
本発明は、苺の高設栽培に使用する栽培用スタンドに関するものである。
【背景技術】
【０００２】
苺の栽培において、地表に結実する苺果実を屈んだ姿勢で収穫することが、農業従事者の大きな負担となる。そこで栽培床をある程度の高さに設置する高設栽培が行われている。
前記の高設栽培には、栽培床を載置するスタンドを多段に設け、各段の天井面（載置板下面）に蛍光ランプを設け、人工光による栽培手段が知られている（特許文献１）。
【先行技術文献】
【特許文献】
【０００３】
【特許文献１】特開２００６−２８０３６４号公報。
【発明の概要】
【発明が解決しようとする課題】
【０００４】
人工光栽培の照明装置の栽培物へ照光は、光源と栽培棚の位置関係で反射板の位置や距離を設定して設けられている。このような固定光源では、栽培物が成長すると光源と栽培物の距離が相違し栽培物の葉面の照度（受光量）が相違する。従前装置は、栽培物の受光量の調整を、供給電力の制御（光源の輝度制御）や、多数ランプのうち、点灯するものと
消灯するものを選択する点灯制御で行なっている。しかしこのような供給電力調整や点灯制御には、当然制御を担う回路設備が必要となり、栽培スタンドの設備費が嵩んでしまう。
【０００５】
そこで本発明は、設備費が少なくて栽培物の受光量の調整が可能な新規な苺栽培用スタンドを提案したものである。
【課題を解決するための手段】
【０００６】
本発明に係る苺栽培用スタンドは、苺栽培に適した前後幅と長尺の左右幅の栽培棚部を上下適宜間隔で多段に設け、各栽培棚部の上方に照明体を装備した照明体支持部を上下動可能に配置すると共に、所望位置で固定可能に設けてなることを特徴とするものである。
【０００７】
而して前記のスタンドは、ビニールハウス等の温度管理が可能な栽培所に設置して使用するもので、栽培棚部に苗を植え付けた栽培床（プランターに肥料を混在させた培土を入れたもの）を配置し、照明体支持部の高さを適宜調整して、人工光を照射して栽培を行うもので、幼苗に対しては、照明体支持部を下げて幼苗に近接させて、拡散する光量（幼苗に照射されない人工光量）を少なくし、人工光を効果的に照射し、生育が進行して葉が繁殖すると、葉の受光面積が広がるので、それに伴って照明支持部を上昇させると、葉全体に人工光を照射することになる。
【０００８】
また本発明（請求項２）に係る苺栽培用スタンドは、栽培棚を、四隅に設けた脚柱間を連結する枠棚で形成すると共に、栽培床は前記枠棚に載置されるプランターとしてなるもので、幼苗を植栽したプランター（栽培床）を枠棚に載置するだけで苺栽培を行うことができる。
【０００９】
また本発明（請求項３）に係る苺栽培用スタンドは、照明体支持部を可動側柱で連結し、一連に上下動作させてなるもので、各段個別に照明位置を調整することなく、同時に調製が可能となる。
【発明の効果】
【００１０】
本発明の構成は上記のとおり照明体を装備した照明体支持部を上下動可能とした栽培用スタンドで、照明体の位置を苗の生育に合わせ調整することができ、簡易な設備で人工光の効率的な照射調整を行うことができたものである。
【図面の簡単な説明】
【００１１】
【図１】本発明の実施形態の全体斜視図。
【図２】同使用状態の説明図。
【発明を実施するための形態】
【００１２】
次に本発明の実施形態について説明する。実施形態に示したる苺栽培用スタンドは、アングル材を組み合わせて構築したもので、脚柱１と枠棚（栽培棚）２と、照明体支持部（最上段照明体支持部３及び下段照明体支持部３Ａ）と、照明体支持部３，３Ａを動作させる位置調整部４で構成される。
【００１３】
脚柱１は枠棚２の四隅に配置されるもので、枠棚２は、苺栽培に適したプランター（栽培床）Ａに対応するように、前後幅と長尺の左右幅を備えると共に、上下適宜間隔で多段（図示例は上下二段であるが、設置する温室や栽培・収穫作業を考慮すると２〜４段が適当である）に設けたものである。
【００１４】
最上段の照明体支持部３は、前記前後脚柱１間に配置した左右杆３１と左右杆３１間に架設した支持杆３２で枠組みを形成すると共に、上面に放熱板３３を配置する。
【００１５】
照明体３４は、前記左右杆３１、支持杆３２及び放熱板３３の何れかに装着するもので、苺Ａの生育に適する光源であれば任意に定められるが、経済性を考慮するとＬＥＤを採用する。
【００１６】
ＬＥＤ照明は、チップＬＥＤ３４１を長手方向に縦列した複数の長尺照明体３４を、照明体支持部３の底面に前後に縦列装着すると共に、特に前後端に配置される長尺照明体３４を中央側に適宜傾斜させて装着する。チップＬＥＤ３４１は、広角タイプで１２０°の放射範囲であり、取付位置によって栽培範囲（枠棚２の範囲）外に光放射する結果となるので、前後端側の長尺照明体３４は、中央側に傾斜装着して、前記の無駄を無くす。
【００１７】
また下段の照明体支持部３Ａは、長尺照明体３４の組み込みは前記の最上段の照明体支持部３と同様であるが、特に放熱板３３に替えて滴受け容器部３５を設け、後述する栽培時の枠棚２に設置したプランターＡからの栽培用水の滴を、長尺照明体３４に侵入しないようにする。更に前記滴受け容器部３５は、プランターＡから栽培用水が滴受け容器部３５に滴下すると、前記栽培用水による冷却機能が作用し、直下の長尺照明体３４からの放熱が吸収することになり、室温上昇を抑え、効率的な室温コントロールを行うことができるものである。
【００１８】
尚受粉に際してミツバチが紫外線で照らされた花を確認する必要があるが、ＬＥＤ照明では紫外線が発生しないので、栽培室内に紫外線灯を設置するが、紫外線が栽培箇所（枠棚２の内）に効果的に照射されるように、栽培棚（枠棚２）、照明体支持部３，３Ａ、脚柱１等の外周面を金属色等の反射面とする。
【００１９】
位置調整部４は、可動側柱４１と、可動側柱４１を吊下げ上下動させると吊下げ紐４２と、吊下げ紐４２を装着するための滑車部４３及び結着部４４と、滑車部４３を取付ける頂部杆４５で構成している。即ち上下動可能に多段に配置されている各照明体支持部３，３Ａの左右杆３１の外側を可動側柱４１で連結し、前記可動側柱４１を上下動させるために、前後脚柱１の頂部間に頂部杆４５を架設すると共に、前記頂部杆４５に滑車部４３を設け、吊下げ紐４２はその一端を可動側柱４１の頂部に結び付け、滑車部４３を介して下方部に設けた結着部４４に結び付けて、照明体支持部３を所望の高さに保持する。
【００２０】
而して苺の栽培に際して、前記スタンドを例えばビニールハウス内に設置し、枠棚（栽培棚）２に、苗Ｂを植え付けたプランター（栽培床）Ａを配置して、苗Ｂの生育を行い苺Ｃの収穫をなすものである。
【００２１】
この苗Ｂの生育に長尺照明体３４のチップＬＥＤ３４１からの人工光を用いるもので、人工光は、光源からの拡散光（１２０°）となるので、幼苗Ｂ１に対しては、吊下げ紐４２を結着部４４から結び解き、上下操作して、照明体支持部３，３Ａの位置を下げて幼苗Ｂ１に近接させて、吊下げ紐４２を結着部４４に結び付け、光源からの拡散する光量（幼苗に照射されない人工光量）を少なくして、人工光を効果的に照射する。
【００２２】
次に苗Ｂの生育が進行して葉が繁殖すると、葉の受光面積が広がるので、それに伴って照体明支持部３を上昇させ、当該位置を保持し、葉全体に人工光が照射するようにして栽培を行うものである。
【００２３】
従って苗Ｂの生育に伴って適宜に光源位置を上下方向に変更して栽培を行うことができたもので、人工光の効率的な照射生育を実現する。尚位置調整部４の構成は、人力調整の例を示したが、動力制御によって実現しても良い。
【符号の説明】
【００２４】
１      脚柱
２      枠棚（栽培棚）
３，３Ａ      照明体支持部
３１    左右杆
３２    支持杆
３３    放熱板
３４    長尺照明体（照明体）
３４１    チップＬＥＤ
３５    滴受け容器部
４      位置調整部
４１    可動側柱
４２    吊下げ紐
４３    滑車部
４４    結着部
４５    頂部杆
【図１】
2015057965.tif 000003
【図２】
2015057965.tif 000004